(57)【要約】【課題】排水レス水破砕式ミストサウナ装置において、ミスト化されずに風路内に余剰水として滞留する温水あるいは水を低減し、余剰水を循環使用する貯水手段、殺菌手段を必要としない排水レス水破砕式ミストサウナ装置を提供することを目的としている。【解決手段】市水を加圧する加圧ポンプ７と市水を供給する弁８を経由し、余剰水の発生を低減する吹出ノズル９と水破砕壁１０と、発生した余剰水を貯水する貯水量検出手段１３を備えた貯水部１１と、貯水した余剰水を吸収する湿度検出手段１４を備えた水透過フィルター１２により余剰水の発生と水透過フィルター１２の湿度を検知することで市水の供給を制御し余剰水の発生を低減することができる排水レス水破砕式ミストサウナ装置を提供できる。【選択図】図１
2010184058.tif 000002
【特許請求の範囲】
【請求項１】
温水あるいは水を風路の内壁に衝突させ、衝撃により微細化された蒸気を供給する水破砕式ミストサウナ装置において、余剰水として微細化されずに風路内に滞留した温水あるいは水の量を調整することを特徴とするサウナ装置。
【請求項２】
風路の後方に風路の内壁に向かって温水あるいは水を吹出す吹出ノズルを風路の後方に備え、この吹出ノズルから吹出す温水あるいは水の吹出粒径を１０μｍ以下とすることでクリアなサウナ空間にすることを特徴とする請求項１記載のサウナ装置。
【請求項３】
吹出ノズルから吹出した温水あるいは水の風路内壁への衝突微細化を促進する吹出ノズルの取付角度を吹出ノズル下方面の風路内壁面に対して６０度から１２０度の範囲としたことを特徴とする請求項１記載のサウナ装置。
【請求項４】
吹出ノズルから吹出す温水あるいは水の吹出粒径の微細化を促進する加圧ポンプにより圧力を通常の市水圧力より上昇させることを特徴とする請求項１記載のサウナ装置。
【請求項５】
制御手段により加圧ポンプから吹出ノズルへの経路に備えた弁を開閉して温水あるいは水を間欠吹出しするようにしたことを特徴とする請求項１記載のサウナ装置。
【請求項６】
吹出ノズルの吹出し方向の循環風路の中央部に吹出ノズルから吹出した温水あるいは水を衝突させ微細化する波状の水破砕壁を設けたことを特徴とする請求項１記載のサウナ装置。
【請求項７】
水透過フィルターを備え、ミスト化されずに余剰水として風路内に滞留した温水あるいは水を回収することを特徴とする請求項１記載のサウナ装置。
【請求項８】
水透過フィルターは循環風路の後方である、浴室内空気の吸込口と循環送風手段の後段に配置したことを特徴とする請求項１記載のサウナ装置。
【請求項９】
サウナ運転停止後に水透過フィルターに浸透した水分を乾燥させる乾燥機能を有したことを特徴とする請求項１記載のサウナ装置。
【請求項１０】
水透過フィルターの乾燥度合いを検知する湿度検出手段を備えたことを特徴とする請求項１記載のサウナ装置。
【請求項１１】
水透過フィルターにより吸収しきれない余剰水を貯水するための貯水部を備えたことを特徴とする請求項１記載のサウナ装置。
【請求項１２】
貯水部に貯水された余剰水の貯水量を検出する貯水量検出手段を備え、機器のサウナ運転を停止できるようにしたことを特徴とする請求項１記載のサウナ装置。
【発明の詳細な説明】
【技術分野】
【０００１】
本発明は、家庭用浴室に設置され、温水または、水をファンあるいはファン周辺の内壁に衝突させ、衝撃によりミスト化された蒸気を供給する排水レス水破砕式ミストサウナ装置に関する。
【背景技術】
【０００２】
従来、この種の排水レス水破砕式ミストサウナ装置は、余剰水を貯水部に蓄え、貯水部に蓄えられた水を循環手段により循環させて使用するものが知られている（例えば特許文献１参照）。
【０００３】
以下、貯水部に蓄え、貯水部に蓄えられた水を循環手段により循環させて使用する排水レス水破砕式ミストサウナ装置について図４を参照しながら説明する。
【０００４】
図４に示すように、排水レス水破砕ミストサウナ装置１０１の内部構成は、給湯器などで暖められた温水を給水する給水口１０２と給水口１０２から供給される温水を貯水する貯水手段１０３と、貯水手段１０３から水破砕ユニット１０４へ温水を供給する循環水路１０５と、水破砕ユニット１０４で破砕されミスト化した温水を吹出す吹出口１０６と、ミスト化されずに残った温水を貯水する貯水手段１０７と、この貯水手段１０７に貯水された温水を貯水手段１０３へ循環水路１０５を経由して送る循環手段１０８を備え、貯水手段１０３および貯水手段１０７に貯水された温水を循環手段１０８にて循環水路１０５により循環させることにより排水を必要としない排水レス水破砕式ミストサウナ装置が構成されていた。
【特許文献１】特開２００７−２３６６６９号公報
【発明の開示】
【発明が解決しようとする課題】
【０００５】
このような排水レス水破砕式ミストサウナ装置では、ミスト化する温水あるいは水を貯水する貯水手段と、水破砕部で破砕できず余剰となった温水あるいは水を貯水する貯水手段と、温水を貯水手段間で循環させるための循環水路が必要であり、サウナ運転停止後に、各貯水手段に貯水されたの余剰水を乾燥させるための蒸発手段、殺菌手段が構成上必要となり、製品の構造が複雑で大型化するという課題があった。
【０００６】
本発明は上記課題を解決するもので、家庭用浴室に設置され、温水または、水をファンあるいはファン周辺の内壁に衝突させ、衝撃によりミスト化された蒸気を供給する排水レス水破砕式ミストサウナ装置において、ミスト化されずに風路内に余剰水として滞留する温水あるいは水を低減し、余剰水を循環使用する貯水手段、殺菌手段を必要としない排水レス水破砕式ミストサウナ装置を提供することを目的としている。
【課題を解決するための手段】
【０００７】
本発明のサウナ装置は、上記目的を達成するために、温水あるいは水を風路の内壁に衝突させ、衝撃により微細化された蒸気を供給する水破砕式ミストサウナ装置において、余剰水として微細化されずに風路内に滞留した温水あるいは水の量を調整することを特徴としたものである。
【０００８】
この手段により、余剰水として微細化されずに風路内に滞留した温水あるいは水を蒸発、殺菌する必要がないサウナ装置が得られる。
【０００９】
また、他の手段は、風路の後方に、風路の後方に風路の内壁に向かって温水あるいは水を吹出す吹出ノズルを風路の後方に備え、この吹出ノズルから吹出す温水あるいは水の吹出粒径を１０μｍ以下とすることでクリアなサウナ空間にすることを特徴としたものである。
【００１０】
この手段により、微細化されずに風路内に滞留する温水あるいは水の発生を抑制できるサウナ装置が得られる。
【００１１】
また、他の手段は、吹出ノズルから吹出した温水あるいは水の風路内壁への衝突微細化を促進する吹出ノズルの取付角度を吹出ノズル下方面の風路内壁面に対して６０度から１２０度の範囲としたことを特徴としたものである。
【００１２】
この手段により、微細化されずに風路内に滞留する温水あるいは水の発生を抑制できるサウナ装置が得られる。
【００１３】
また、他の手段は、吹出ノズルから吹出す温水あるいは水の吹出粒径の微細化を促進する加圧ポンプにより圧力を通常の市水圧力より上昇させることを特徴としたものである。
【００１４】
この手段により、吹出ノズルから吹出す温水あるいは水の圧力を上昇させるため、吹出粒径を確実に１０μｍ以下とすることができるサウナ装置が得られる。
【００１５】
また、他の手段は、制御手段により加圧ポンプから吹出ノズルへの経路に備えた弁を開閉して温水あるいは水を間欠吹出しするようにしたことを特徴としたものである。
【００１６】
この手段により、風路内に滞留する温水あるいは水の発生を抑制できるサウナ装置が得られる。
【００１７】
また、他の手段は、吹出ノズルの吹出しの循環風路の中央部に吹出ノズルから吹出した温水あるいは水を衝突させ微細化する波状の水破砕壁を設けたことを特徴としたものである。
【００１８】
この手段により、吹出しズルから吹出した温水あるいは水の微細化を促進し、余剰水の発生を低減することができるサウナ装置が得られる。
【００１９】
また、他の手段は、水透過フィルターを備え、ミスト化されずに余剰水として風路内に滞留した温水あるいは水を回収することを特徴としたものである。
【００２０】
この手段により、温水あるいは水がミスト化されずに余剰水として風路内に滞留しても貯水部を設けずに余剰水を回収することができるサウナ装置が得られる。
【００２１】
また、他の手段は、水透過フィルターは循環風路の後方である、浴室内空気の吸込口と循環送風手段の後段に配置したことを特徴としたものである。
【００２２】
この手段により、ミスト化されずに余剰水として風路内に滞留した温水あるいは水を吸収した水透過フィルターに循環送風手段から送風された風を当てることで加湿空気として供給できるサウナ装置が得られる。
【００２３】
また、他の手段は、サウナ運転停止後に水透過フィルターに浸透した水分を乾燥させる乾燥機能を有したことを特徴としたものである。
【００２４】
この手段により、ミスト化されずにまた、加湿空気として利用されずに余剰水として水透過フィルターに滞留した温水あるいは水を乾燥、蒸発することができ、殺菌手段を必要としないサウナ装置が得られる。
【００２５】
また、他の手段は、水透過フィルターの乾燥度合いを検知する湿度検出手段を備えたことを備えたことを特徴としたものである。
【００２６】
この手段により、水透過フィルターに含まれる余剰水の蒸発、水透過フィルターの乾燥を検知し、乾燥機能を停止することができるサウナ装置が得られる。
【００２７】
また、他の手段は、水透過フィルターにより吸収しきれない余剰水を貯水するための貯水部を備えたことを特徴としたものである。
【００２８】
この手段により、機器異常時等に想定以上の余剰水が発生した場合でも余剰水が浴室内に流出することを防止できるサウナ装置が得られる。
【００２９】
また、他の手段は、貯水部に貯水された余剰水の貯水量を検出する貯水量検出手段を備え、機器のサウナ運転を停止できるようにしたことを特徴としたものである。
【００３０】
この手段により、機器異常時等に想定以上の余剰水が発生し、貯水部から流出し余剰水が浴室内に流出前段階で機器のサウナ運転を停止することができるサウナ装置が得られる。
【発明の効果】
【００３１】
本発明によれば、温水あるいは水を風路の内壁に衝突させ、衝撃により微細化された蒸気を供給する水破砕式ミストサウナ装置において、余剰水として微細化されずに風路内に滞留した温水あるいは水の量を調整し、余剰水として微細化されずに風路内に滞留した温水あるいは水を蒸発、殺菌する必要がないサウナ装置を提供できる。
【００３２】
また、風路の後方に風路の内壁に向かって温水あるいは水を吹出す吹出ノズルを風路の後方に備え、この吹出ノズルから吹出す温水あるいは水の吹出粒径を１０μｍ以下とし、微細化されずに風路内に滞留する温水あるいは水の発生を抑制できるサウナ装置を提供できる。
【００３３】
また、吹出ノズルから吹出した温水あるいは水の風路内壁への衝突微細化を促進する吹出ノズルの取付角度を吹出ノズル下方面の風路内壁面に対して６０度から１２０度の範囲としたことで、微細化されずに風路内に滞留する温水あるいは水の発生を抑制できるサウナ装置を提供できる。
【００３４】
また、吹出ノズルから吹出す温水あるいは水の吹出粒径の微細化を促進する加圧ポンプにより圧力を通常の市水圧力より上昇させるため、吹出粒径を確実に１０μｍ以下とすることができるサウナ装置を提供できる。
【００３５】
また、制御手段により加圧ポンプから吹出ノズルへの経路に備えた弁を開閉して温水あるいは水を間欠吹出しするようにしたことで、風路内に滞留する温水あるいは水の発生を抑制できるサウナ装置を提供できる。
【００３６】
また、吹出ノズルの吹出し方向の循環風路の中央部に吹出ノズルから吹出した温水あるいは水を衝突させ微細化する波状の水破砕壁を設けたことで、吹出ノズルから吹出した温水あるいは水の微細化を促進し、余剰水の発生を低減することができるサウナ装置を提供できる。
【００３７】
また、水透過フィルターを備え、ミスト化されずに余剰水として風路内に滞留した温水あるいは水を回収することで、温水あるいは水がミスト化されずに余剰水として風路内に滞留しても余剰水を循環する貯水手段を設けずに余剰水を回収することができるサウナ装置を提供できる。
【００３８】
また、水透過フィルターは循環風路の後方である、浴室内空気の吸込口と循環送風手段の後段に配置したことで、ミスト化されずに余剰水として風路内に滞留した温水あるいは水を吸収した水透過フィルターに循環送風手段から送風された風を当てることで加湿空気として供給できるサウナ装置を提供できる。
【００３９】
また、サウナ運転停止後に水透過フィルターに浸透した水分を乾燥させる乾燥機能を有したことにより、ミスト化されずにまた、加湿空気として利用されずに余剰水として水透過フィルターに滞留した温水あるいは水を乾燥、蒸発することができ、殺菌手段を必要としないサウナ装置を提供できる。
【００４０】
また、水透過フィルターの乾燥度合いを検知する湿度検出手段を備えたことにより、水透過フィルターに含まれる余剰水の蒸発、水透過フィルターの乾燥を検知し、乾燥機能を停止することができるサウナ装置を提供できる。
【００４１】
また、水透過フィルターにより吸収しきれない余剰水を貯水するための貯水部を備えたことにより、機器異常時等に想定以上の余剰水が発生した場合でも余剰水が浴室内に流出することを防止できるサウナ装置を提供できる。
【００４２】
また、貯水部に貯水された余剰水の貯水量を検出する貯水量検出手段を備え、機器のサウナ運転を停止できるようにしたことにより、機器異常時等に想定以上の余剰水が発生し貯水部から流出し、余剰水が浴室内に流出前段階で機器のサウナ運転を停止することができるサウナ装置を提供できる。
【発明を実施するための最良の形態】
【００４３】
本発明の請求項１記載の発明は、温水あるいは水を風路の内壁に衝突させ、衝撃により微細化された蒸気を供給する水破砕式ミストサウナ装置において、余剰水として微細化されずに風路内に滞留した温水あるいは水の量を調整することを特徴としたものであり、余剰水として微細化されずに風路内に滞留した温水あるいは水を低減できるという作用を有する。
【００４４】
また、請求項２記載の発明は、風路の後方に風路の内壁に向かって温水あるいは水を吹出す吹出ノズルを風路の後方に備え、この吹出ノズルから吹出す温水あるいは水の吹出粒径を１０μｍ以下とすることでクリアなサウナ空間にすることを特徴風路としたものであり、微細化されずに風路内に滞留する温水あるいは水の発生を抑制できるという作用を有する。
【００４５】
また、請求項３記載の発明は、吹出ノズルから吹出した温水あるいは水の風路内壁への衝突微細化を促進する吹出ノズルの取付角度を吹出ノズル下方面の風路内壁面に対して６０度から１２０度の範囲としたことをとしたものであり、微細化されずに風路内に滞留する温水あるいは水の発生を抑制できるという作用を有する。
【００４６】
また、請求項４記載の発明は、吹出ノズルから吹出す温水あるいは水の吹出粒径の微細化を促進する加圧ポンプにより圧力を通常の市水圧力より上昇させることを特徴としたものであり、吹出ノズルから吹出す温水あるいは水の圧力を上昇させるため、吹出粒径を確実に１０μｍ以下とすることができるという作用を有する。
【００４７】
また、請求項５記載の発明は、制御手段により加圧ポンプから吹出ノズルへの経路に備えた弁を開閉して温水あるいは水を間欠吹出しするようにしたものであり、風路内に滞留する温水あるいは水の発生を抑制できるとうい作用を有する。
【００４８】
また、請求項６記載の発明は、吹出ノズルの吹出し方向の循環風路の中央部に吹出ノズルから吹出した温水あるいは水を衝突させ微細化する波状の水破砕壁を設けたものであり、吹出ノズルから吹出した温水あるいは水の微細化を促進し、余剰水の発生を低減することができるとうい作用を有する。
【００４９】
また、請求項７記載の発明は、水透過フィルターを備え、ミスト化されずに余剰水として風路内に滞留した温水あるいは水を回収することを特徴としたものであり、温水あるいは水がミスト化されずに余剰水として風路内に滞留しても余剰水を循環する貯水手段を設けずに余剰水を回収することができるという作用を有する。
【００５０】
また、請求項８記載の発明は、水透過フィルターは循環風路の後方である、浴室内空気の吸込口と循環送風手段の後段に配置したことを特徴としたものであり、ミスト化されずに余剰水として風路内に滞留した温水あるいは水を吸収した水透過フィルターに循環送風手段から送風された風を当てることで加湿空気として供給できるとうい作用を有する。
【００５１】
また、請求項９記載の発明は、サウナ運転停止後に水透過フィルターに浸透した水分を乾燥させる乾燥機能を有したことを特徴としたものであり、加湿空気として利用されずに余剰水として水透過フィルターに滞留した温水あるいは水を乾燥、蒸発することができるという作用を有する。
【００５２】
また、請求項１０記載の発明は、水透過フィルターの乾燥度合いを検知する湿度検出手段を備えたことをとしたものであり、水透過フィルターに含まれる余剰水の蒸発、水透過フィルターの乾燥を検知し、乾燥機能を停止することができるという作用を有する。
【００５３】
また、請求項１１記載の発明は、水透過フィルターにより吸収しきれない余剰水を貯水するための貯水部を備えたことを特徴としたものであり、機器異常時等に想定以上の余剰水が発生した場合でも余剰水が浴室内に流出することを防止できるとうい作用を有する。
【００５４】
また、請求項１２記載の発明は、貯水部に貯水された余剰水の貯水量を検出する貯水量検出手段を備え、機器のサウナ運転を停止できるようにしたことを特徴としたものであり、機器異常時に等想定以上の余剰水が発生し貯水部から流出し、余剰水が浴室内に流出前段階で機器のサウナ運転を停止することができるとうい作用を有する。
【００５５】
以下、本発明の実施形態について図面を参照しながら説明する。
【００５６】
（実施の形態１）
図１〜図３に示すように、本発明の実施の形態のサウナ装置は、サウナ装置本体１内に浴室内の空気を循環させる吸込口２と吹出口３を備えた循環風路４と、この循環風路４に吸込口２から吸込まれた空気を加熱する加熱手段５と循環送風手段６が備えられている。また、加熱手段５と循環送風手段６の後方である風下側には、加圧ポンプ７と弁８を経由し、市水を吹出す吹出口３を循環風路４に向け、循環風路４の内壁下面に対して６０度から１２０度の範囲で配置された吹出ノズル９が循環風路４内の上に備えている。そして、吹出ノズル９の吹出し方向の循環風路４の中央部に水の破砕を促進するために円弧を描く波状とした水破砕壁１０とその下方に備えた破砕されずに残る余剰水を貯める貯水部１１が備えられている。この貯水部１１には、貯水された余剰水を吸収する不織布で構成された水透過フィルター１２が貯水部１１に入り込む形で配置されており、貯水部１１には貯水量を検出する貯水量検出手段１３が備えられ、水透過フィルター１２には、水透過フィルター１２の湿度情報を検出する湿度検出手段１４が備えられている。また、水透過フィルター１２は循環風路４の後方である、浴室内空気の吸込口２と循環送風手段６の後段に配置する。そして、貯水量検出手段１３、湿度検出手段１４からの情報が入力され、加熱手段５と循環送風手段６、加圧ポンプ７、弁８の制御と、サウナ装置本体１の運転操作を行う遠隔操作手段１５の情報が入力される制御手段１６で構成される。
【００５７】
加熱手段５は浴室内を循環する空気を加熱できればよく、例えば電気を利用して発熱するＰＣＴヒーターやハロゲンヒーター、温水を利用した温水コイルがある。
【００５８】
上記構成により、遠隔操作手段１５よりサウナ運転を行う操作が実施されると、制御手段１６はその情報を認識し、加熱手段５の加熱と、循環送風手段６の運転が開始し、市水は加圧ポンプ７により加圧され、弁８を開放するように信号を出力し、循環風路４内に吹出ノズル９から微細化された市水が噴霧され、加圧ポンプ７による加圧と循環風路４の内壁下面に対して６０度から１２０度の範囲で噴霧することでエネルギーを得た市水は水破砕壁１０に衝突することで衝突エネルギーに変わり更に微細化が促進されることになる。この時常時、弁８を開放すると必要以上の市水が循環風路４内に噴霧されることになり、余剰水が発生するため、弁８には制御手段１６より開閉動作信号が送られ、開閉を繰り返すように動作し、（例えば１間隔で開閉）余剰水の発生を抑制しながら、浴室内をサウナ空間にすることになる。また、水破砕壁１０に衝突しても微細化されなかったわずかな余浄水は貯水部１１に流れ込み、水透過フィルター１２に吸収され、循環送風手段６の送風にて蒸発されることになる。前記動作にて余剰水は蒸発されることになるが、蒸発されずに余剰水の貯水部１１に蓄積されると貯水を検出する貯水量検出手段１３により貯水が検出され、その情報が制御手段１６に伝達され、制御手段１６が弁８の開閉間隔を可変するように弁８に信号を伝達する。（例えば、弁８の開時間よりも閉時間を長くする）さらに、弁８の開閉間隔を可変しても貯水量検出手段１３により貯水が検出される場合は、制御手段１６による弁８を閉とし、貯水量検出手段１３の貯水検出がなくなるまで弁８を開としない制御を行うことになる。また、遠隔操作手段１５によりサウナ運転が停止されると制御手段１６により加圧ポンプ７には運転を停止、弁８は閉とする信号伝達され市水の循環風路４内への吹出しを停止し、湿度検出手段１４の湿度情報をもとに水透過フィルター１２の乾燥を行うために制御手段１６により、貯水部１１より水透過フィルター１２に吸収された余剰水が蒸発するまで加熱手段５と循環送風手段６の運転が行われることになる。
【００５９】
なお、本実施例では水破砕壁１０は円弧状としているが、鋭角に構成しても破砕が促進できれば同様な効果が得られる。
【００６０】
浴室内の空気を外部へ排気する構成であっても本発明には影響はない。
【００６１】
市水は加熱せずに市水温のまま循環風路４内に吹出しているが、加熱し、温水としても同様な効果が得られる。
【００６２】
加熱手段５は、循環送風手段６の前段としたが、循環送風手段の後段でも浴室内の空気を加熱できれば同様な効果が得られる。
【００６３】
水透過フィルター１２は不織布で構成したが、表面張力により水を吸収し、循環送風手段６による循環送風が透過できれば化学繊維を用いたものでも同様な効果が得られる。
【００６４】
遠隔操作手段１５は制御手段１６と接続したが、赤外線通信や、電波通信を利用したものでもサウナ装置本体１の運転操作が行えれば同様な効果が得られる。
【００６５】
サウナ運転時に加熱手段５で浴室内を循環する空気を加熱したが、加熱せずに運転を行う低温サウナ運転も同様な効果が得られる。
【産業上の利用可能性】
【００６６】
乾燥度合いの確認が必要な、衣類乾燥機の乾燥手段としての利用も可能である。
【図面の簡単な説明】
【００６７】
【図１】本発明の実施の形態の排水レス水破砕式ミストサウナ装置の構成を示す構成図
【図２】同上排水レス水破砕式ミストサウナ装置の構成を示す構成図
【図３】同上排水レス水破砕式ミストサウナ装置の吹出ノズル取付角度を示す構成図
【図４】従来例の排水レス水破砕式ミストサウナ装置の構成を示す構成図
【符号の説明】
【００６８】
１    サウナ装置本体
２    吸込口
３    吹出口
４    循環風路
５    加熱手段
６    循環送風手段
７    加圧ポンプ
８    弁
９    吹出ノズル
１０  水破砕壁
１１  貯水部
１２  水透過フィルター
１３  貯水量検出手段
１４  湿度検出手段
１５  遠隔操作手段
１６  制御手段
【図１】
2010184058.tif 000003
【図２】
2010184058.tif 000004
【図３】
2010184058.tif 000005
【図４】
2010184058.tif 000006